(57)【要約】      （修正有）【課題】システムがオフまたは省電力モード（スクリーンオフ状態）中でもバッテリー残量を表示できるノートブック型コンピュータを提供する。【解決手段】ノートブック型コンピュータは、スマートバッテリー１０１と、前記ノートブック型コンピュータの複数個の状態表示灯１０３と、ファンクションキー１０５と、前記複数個の状態表示灯ならびに前記ファンクションキーの制御ユニット１０７とを含む。前記ファンクションキーは、ノートブック型コンピュータのシステムがオフまたは省電力モード（スクリーンオフ状態）のもとに押されたとき、前記制御ユニットがバスを介して前記スマートバッテリーの残り電気量のデータを読み取るとともに、それに依拠して前記スマートバッテリーの残り電気量を計算し、前記複数個の状態表示灯の点滅を再制御することにより、前記スマートバッテリーの残り電気量の大きさを表示する。【選択図】図２
0003151172.tif 000002
【実用新案登録請求の範囲】
【請求項１】
スマートバッテリーと、
ノートブック型コンピュータの状態を示す複数個の状態表示灯と、
ファンクションキーと、
前記スマートバッテリー、前記複数個の状態表示灯および前記ファンクションキーに連結する制御ユニットとを含み、前記ファンクションキーは、前記ノートブック型コンピュータのシステムが省電力モードのもと押されたとき、前記制御ユニットがバスを介して前記スマートバッテリーの残り電気量のデータを読み取るとともに、それに依拠して前記スマートバッテリーの残り電気量を計算し、前記複数個の状態表示灯の点滅を再制御することにより、前記スマートバッテリーの残り電気量の大きさを表示することを特徴とするノートブック型コンピュータ。
【請求項２】
前記スマートバッテリーが、前記スマートバッテリーの残り電気量のデータを提供するために用いられるガスゲージＩＣを備える請求項１記載のノートブック型コンピュータ。
【請求項３】
前記制御ユニットが、埋め込み式コントローラーである請求項１記載のノートブック型コンピュータ。
【請求項４】
前記複数個の状態表示灯が、いずれも発光ダイオードであり、かつ各発光ダイオードの陽極がシステム電圧に連結され、各発光ダイオードの陰極がそれぞれ前記埋め込み式コントローラーの汎用出／入力接続ピンに連結される請求項３記載のノートブック型コンピュータ。
【請求項５】
前記バスが、システム管理バスである請求項１記載のノートブック型コンピュータ。
【請求項６】
前記ファンクションキーが、電源ファンクションキーである請求項１記載のノートブック型コンピュータ。
【請求項７】
前記ファンクションキーが、前記ノートブック型コンピュータのタッチパッドの左右キーである請求項１記載のノートブック型コンピュータ。
【考案の詳細な説明】
【技術分野】
【０００１】
この考案は、ノートブック型コンピュータに関し、特に、システムがオフまたは省電力モード（スクリーンオフ状態）中にバッテリー残量を表示できるノートブック型コンピュータに関する。
【考案の概要】
【考案が解決しようとする課題】
【０００２】
最近の科学技術の進歩にともなって、ノートブック（NOTEBOOK）型コンピュータの機能が日増しに増大し、しかもその体積がますます小さくなって携帯にも便利なものとなり、次第に消費性電子製品市場の主流となってきている。そして、周知なように、もしもユーザーがノートブック型コンピュータのバッテリー残量を知りたいとき、マイクロソフト（米国会社の名称）のウインドウズオペレーションシステム（同左会社のＯＳ名称）を例に挙げれば、最も簡単な方法は、ノートブック型コンピュータのシステムが正常動作モード（つまりオンライン）において、作業システムウインドウ右下角の通知領域中のバッテリー残量に関するデータを直接観察することである。もちろん、ノートブック型コンピュータのシステムがオフまたは省電力モード（スクリーンオフ状態）中、つまりオフラインでは、この方法が使用できない。
【考案の目的】
【０００３】
そこで、この考案の目的は、システムがオフまたは省電力モード（スクリーンオフ状態）中であってもバッテリー残量を表示できるノートブック型コンピュータを提供することにある。
【課題を解決するための手段】
【０００４】
この考案は、ノートブック型コンピュータを提供し、該ノートブック型コンピュータは、スマートバッテリーと、前記ノートブック型コンピュータの複数個の状態表示灯と、ファンクションキーと、前記複数個の状態表示灯ならびに前記ファンクションキーの制御ユニットとを含む。そのうち、前記ファンクションキーは、ノートブック型コンピュータのシステムがオフまたは省電力モード（スクリーンオフ状態）で押されたとき、前記制御ユニットがバスを介して前記スマートバッテリーの残り電気量のデータを読み取るとともに、それに依拠して前記スマートバッテリーの残り電気量を計算し、前記複数個の状態表示灯の点滅を再制御することにより、前記スマートバッテリーの残り電気量の大きさを表示するものである。
【０００５】
この考案の模範的な実施形態中、前記スマートバッテリーが、ガスゲージ（電気量測定）ＩＣを備えて、前記スマートバッテリーの残り電気量のデータを提供するために用いられるものである。
【０００６】
この考案の模範的な実施形態では、前記制御ユニットが埋め込み式コントローラーである。
【０００７】
この考案の模範的な実施形態では、前記複数個の状態表示灯がいずれも発光ダイオードであり、かつ各発光ダイオードの陽極がシステム電圧に連結され、各発光ダイオードの陰極がそれぞれ前記埋め込み式コントローラーの汎用出／入力接続ピンに連結される。
【０００８】
この考案の模範的な実施形態では、前記バスがシステム管理バスである。
【０００９】
この考案の模範的な実施形態では、前記ファンクションキーが電源ファンクションキーである。
【００１０】
この考案の模範的な実施形態では、前記ファンクションキーがノートブック型コンピュータのタッチパッドの左右キーである。
【００１１】
上記に基づき、ユーザーが、ノートブック型コンピュータのシステムが省電力モードにあるとき、電源ファンクションキーまたはタッチパッドの左右キーを押すと、埋め込み式コントローラーが先ずシステム管理バスを介してスマートバッテリーの残り電気量のデータを読み取ってから、それに依拠してスマートバッテリーの残り電気量を計算する。このようにして、埋め込み式コントローラーがスマートバッテリーの残り電気量に依拠して、ノートブック型コンピュータの複数個の状態表示灯を点滅させて、スマートバッテリーの残り電気量の大きさを表示し、オフラインでバッテリー残量を表示するという目的を達成する。
【考案の効果】
【００１２】
つまり、この考案に係るノートブック型コンピュータは、ノートブック型コンピュータに元から設置されている電子素子を利用して、バッテリー残量を表示するという目的を達成する。従って、いかなるハードウェア製作コストも余分に増加させる必要がない。言い換えれば、ユーザーは、ノートブック型コンピュータシステムが省電力モードにあるとき、電源ファンクションキーまたはタッチパッドの左右キーの１つを押すと、埋め込み式コントローラーが先ずシステム管理バスを介してスマートバッテリーの残り電気量のデータを読み取ってから、スマートバッテリーの残り電気量を計算する。
【００１３】
このようにして、埋め込み式コントローラーが計算したスマートバッテリーの残り電気量に依拠して、ノートブック型コンピュータに設けられている複数個の状態表示灯を点滅させるよう制御できるので、バッテリー残量をオフライン表示するという目的を達成することができる。
【図面の簡単な説明】
【００１４】
【図１】この考案の実施形態に係るノートブック型コンピュータの外観を示す斜視図である。
【図２】図１に示すノートブック型コンピュータの要部システムブロック図である。
【考案を実施するための形態】
【００１５】
以下、この考案を実施するための形態を図面に基づいて説明する。図１は、この考案の実施形態にかかるノートブック型コンピュータ１００の外観を示す斜視図である。図２は、図１に示すノートブック型コンピュータ１００の要部システムブロック図である。図１と図２とにおいて、ノートブック型コンピュータ１００は、スマートバッテリー（smart battery）１０１と、ノートブック型コンピュータ１００の５個の状態表示灯１０３ａ〜１０３ｅ（但し、この数量に限定しない）と、ファンクションキー１０５と、スマートバッテリー１０１と状態表示灯１０３ａ〜１０３ｅおよびファンクションキー１０５ａ／１０５ｂに連結される制御ユニット１０７とを含む。
【００１６】
もちろん、ノートブック型コンピュータ１００は、更に、その他の部材、例えば、ディスプレイモジュール、キーボードモジュールなどを含むが、この模範的な実施形態では関連する部材のみを以下の通り説明する。
【００１７】
この模範的な実施形態中、スマートバッテリー１０１がガスゲージＩＣ（gas gauge IC）を備えて、それがスマートバッテリー１０１の残り電気量のデータを提供するために用いられる。制御ユニット１０７が埋め込み式コントローラー（embedded controller = EC）であり、以下、制御ユニット１０７を埋め込み式コントローラー１０７と呼ぶ。ファンクションキー１０５は、例えば、電源ファンクションキーとすることができ、更には、ノートブック型コンピュータ１００のタッチパッド（touch pad）の左右ファンクションキーとすることができるが、これに限定しない。
【００１８】
状態表示灯１０３ａ〜１０３ｅは、いずれも発光ダイオード（但し、これに限定しない）であり、以下、状態表示灯１０３ａ〜１０３ｅを発光ダイオード１０３ａ〜１０３ｅと呼び、かつ各発光ダイオード１０３ａ〜１０３ｅの陽極をノートブック型コンピュータ１００のシステム電圧Ｖｓ（例えば＋３．３Ｖ）に連結し、各発光ダイオード１０３ａ〜１０３ｅの陰極をそれぞれ埋め込み式コントローラー１０７の汎用出入力（general purpose input/output = GPIO）の接続ピンＧ１〜Ｇ５に連結する。
【００１９】
ここで、特記すべきことは、発光ダイオード１０３ａ〜１０３ｅが元からノートブック型コンピュータ１００のメインボディ上に配置されており（但し、これに限定しない）、例えば、電源表示灯、インターネット表示灯、ブルートゥース表示灯、ハードディスク表示灯およびＵＳＢポート表示灯などであるが、いずれもこれに限定しない。
【００２０】
この模範的な実施形態中、ノートブック型コンピュータ１００のシステムが正常動作モード（即ちオンライン）にあり、かつユーザーがノートブック型コンピュータ１００のスマートバッテリー１０１の残り電気量を知りたいとき、ユーザーは、作業システムウインドウ右下角の通知領域中の電池の残り電気量に関するデータを直接観察することができる。
【００２１】
また、ノートブック型コンピュータ１００のシステムがオフまたは省電力モード（スクリーンオフ）のもと（即ちオフライン、例えばACPI = Advanced Configuration and Power Interfaceに定義される省電力モードS3-S5の状態）で、かつユーザーがノートブック型コンピュータ１００のスマートバッテリー１０１の残り電気量を知りたいとき、ユーザーが先ず電源ファンクションキーまたはノートブック型コンピュータ１００のタッチパッドの左右ファンクションキーの１つを押す。このようにして、埋め込み式コントローラー（EC）１０７が１つの低レベルトリガー信号を獲得することにより、スマートバッテリー１０１の残り電気量に対する分析を開始する。
【００２２】
更に明確には、埋め込み式コントローラー１０７が１つの低レベルトリガー信号を獲得するとき、埋め込み式コントローラー１０７が直ちにシステム管理バス１０９（SMBusは通常、クロック線SMBCLKとデータ線SMBDATとからなるが、このことは、当該技術分野では周知技術であり、特に詳述しない）を介して電気量測定（ガスゲージ）チップ１０１ａの提供するスマートバッテリー１０１の残り電気量データを読み取り、それに依拠してスマートバッテリー１０１の残り電気量を計算する。
【００２３】
この模範的な実施形態中、ガスゲージＩＣ（電気量測定チップ）１０１ａの提供するスマートバッテリー１０１の残り電気量データは、少なくともスマートバッテリー１０１のフル充電時の総電気量およびスマートバッテリー１０１の残り電気量を含む。このようにして、埋め込み式コントローラー１０７が直ちに残り電気量をスマートバッテリー１０１のフル充電時の総電気量で除算して、スマートバッテリー１０１の残り電気量のスマートバッテリー１０１のフル充電時の総電気量に対するパーセンテージ（百分率）を獲得する。
【００２４】
これに基づき、もしもスマートバッテリー１０１の残り電気量のスマートバッテリー１０１のフル充電時の総電気量に対するパーセンテージが１０％〜３０％であるとき（但し、この範囲に限定しない）、埋め込み式コントローラー１０７が汎用出入力接続ピンＧ１を介して１つの低レベル信号を出力するとともに、それぞれ汎用出入力接続ピンＧ２〜Ｇ５を介して１つの高レベル信号を出力する。従って、このとき、発光ダイオード１０３ａだけが発光し、残りの発光ダイオード１０３ｂ〜１０３ｅが消灯して、スマートバッテリー１０１の残り電気量が既に低すぎることを表示する。
【００２５】
また、スマートバッテリー１０１の残り電気量のスマートバッテリー１０１のフル充電時の総電気量に対するパーセンテージが３０％〜５０％であるとき（但し、この範囲に限定しない）、埋め込み式コントローラー１０７が汎用出入力接続ピンＧ１，Ｇ２を介してそれぞれ１つの低レベル信号を出力するとともに、汎用出入力接続ピンＧ３〜Ｇ５を介してそれぞれ１つの高レベル信号を出力する。従って、このとき、発光ダイオード１０３ａ，１０３ｂが発光して、残りの発光ダイオード１０３ｃ〜１０３ｅがいずれも消灯して、スマートバッテリー１０１の残り電気量が半分より低いことを表示する。
【００２６】
また、スマートバッテリー１０１の残り電気量のスマートバッテリー１０１のフル充電時の総電気量に対するパーセンテージが５０％〜７０％であるとき（但し、この範囲に限定しない）、埋め込み式コントローラー１０７が汎用出入力接続ピンＧ１〜Ｇ３を介してそれぞれ１つの低レベル信号を出力するとともに、汎用出入力接続ピンＧ４，Ｇ５を介してそれぞれ１つの高レベル信号を出力する。従って、このとき、発光ダイオード１０３ａ〜１０３ｃがいずれも発光して、残りの発光ダイオード１０３ｄ，１０３ｅがいずれも消灯して、スマートバッテリー１０１の残り電気量がまだ半分あることを表示する。
【００２７】
更に、スマートバッテリー１０１の残り電気量のスマートバッテリー１０１のフル充電時の総電気量に対するパーセンテージが７０％〜９０％であるとき（但し、この範囲に限定しない）、埋め込み式コントローラー１０７が汎用出入力接続ピンＧ１〜Ｇ４を介し、それぞれ低レベル信号を出力するとともに、汎用出入力接続ピンＧ５を介し、それぞれ高レベル信号を出力する。従って、このとき、発光ダイオード１０３ａ〜１０３ｄがいずれも発光して、発光ダイオード１０３ｅだけが消灯して、スマートバッテリー１０１の残り電気量がまだ充分あることを表示する。
【００２８】
このほか、スマートバッテリー１０１の残り電気量のスマートバッテリー１０１のフル充電時の総電気量に対するパーセンテージが９０％〜１００％であるとき、（但し、この範囲に限定しない）、埋め込み式コントローラー１０７が汎用出入力接続ピンＧ１〜Ｇ５を介してそれぞれ１つの低レベル信号を出力する。従って、このとき、発光ダイオード１０３ａ〜１０３ｅがいずれも発光して、スマートバッテリー１０１の残り電気量が既に満量であることを表示する。
【００２９】
上述の模範的な実施形態において、発光ダイオード１０３ａ〜１０３ｅが上述した任意の条件において予め設定した時間だけ点滅した後、または、押されたファンクションキー１０５ａ／１０５ｂが再び押されたとき、それぞれの発光ダイオードが本来の機能を回復する、つまり、それぞれ電源表示灯・インターネット表示灯・ブルートゥース表示灯・ハードディスク表示灯およびＵＳＢポート表示灯として回復する。従って、発光ダイオード１０３ａ〜１０３ｅ本来の機能に影響を及ぼさない。
【００３０】
従って、発光ダイオード１０３ａ〜１０３ｅの発光数量が多いほど、スマートバッテリー１０１の残り電気量が多いことは、上述した模範的な実施形態により容易に理解されたい。反対に、発光ダイオード１０３ａ〜１０３ｅ中の発光数量が少ないほど、スマートバッテリー１０１の残り電気量がより少ない。このようにして、ユーザーは、光ダイオード１０３ａ〜１０３ｅ中の発光数量を通じて残り電気量の大きさを観察することができ、ノートブック型コンピュータ１００のシステムが省電力モードであっても、スマートバッテリー１０１の残り電気量の大きさを知ることができる。
【００３１】
従って、ユーザーは、ノートブック型コンピュータ１００のシステムが正常動作の状態になくても、ノートブック型コンピュータ１００の残り電気量の大きさを知ることができる。これによって、ユーザーは、スマートバッテリー１０１に対して充電を行う必要があるか、あるいは直ぐにノートブック型コンピュータ１００を携帯して外出するかを判断できる。
【００３２】
以上のごとく、この考案を実施形態により開示したが、上述の実施形態はこの考案を限定するためのものではなく、当業者であれば容易に理解できるように、この考案の技術思想の範囲内において、適当な変更ならびに修正が当然なされうるものであるから、その特許権保護の範囲は、特許請求の範囲および、それと均等な領域を基準として定めなければならない。
【符号の説明】
【００３３】
１００  ノートブック型コンピュータ
１０１  スマートバッテリー
１０１ａ  電気量測定チップ（ガスゲージＩＣ）
１０３ａ  状態表示灯／発光ダイオード
１０３ｂ  状態表示灯／発光ダイオード
１０３ｃ  状態表示灯／発光ダイオード
１０３ｄ  状態表示灯／発光ダイオード
１０３ｅ  状態表示灯／発光ダイオード
１０５ａ  ファンクションキー
１０５ｂ  ファンクションキー
１０７  制御ユニット／嵌め込み式コントローラー
１０９  システム管理バス
ＳＭＢＣＬＫ  システム管理バスのクロック線
ＳＭＢＤＡＴ  システム管理バスのデータ線
Ｇ１  汎用出入力（ＧＰＩＯ）接続ピン
Ｇ２  汎用出入力（ＧＰＩＯ）接続ピン
Ｇ３  汎用出入力（ＧＰＩＯ）接続ピン
Ｇ４  汎用出入力（ＧＰＩＯ）接続ピン
Ｇ５  汎用出入力（ＧＰＩＯ）接続ピン
【図１】
0003151172.tif 000003
【図２】
0003151172.tif 000004